(57)【特許請求の範囲】
【請求項１】
底板部と当該底板部に垂直に立設された立板部とを有し、前記底板部及び立板部に身生地の上に載置された玉縁布を沿わせて縫い針の針落ち位置に案内するバインダーと、
前記バインダーの立板部を挟んだ両側であって前記底板部上方に配置される一対の折込板を有し、当該各折込板が駆動手段により前記立板部に向かって接近移動し、前記各折込板の先端部が、当該底板部の左右両端から延出する玉縁布の両端部を前記底板部の上面側に折り返して玉縁布を折り込む折込装置とを備えた玉縁縫いミシンにおいて、
前記折込装置は、前記各折込板の先端部が上下動可能となるように当該各折込板を個別に支持する一対の支持部材と、前記各折込板の先端部を常時下方側に付勢する付勢部材とを備えていることを特徴とする玉縁縫いミシン。
【請求項２】
前記折込装置は、前記一対の折込板が前記駆動手段により接近移動して前記玉縁布を折り込む際にそれぞれの折込板の先端部が前記底板部の左右両端の外側では、前記玉縁布が前記底板部を上下から挟むように折り返された場合の合計厚さ以上の高さに位置するように、前記折込板の高さを維持する段部を備えることを特徴とする請求項１記載の玉縁縫いミシン。
【請求項３】
前記折込装置は、前記一対の折込板が前記駆動手段により接近移動して前記玉縁布を折り込む際に前記先端部が前記底板部の上面に向かって斜め下方に接近移動するように構成されていること特徴とする請求項１又は請求項２記載の玉縁縫いミシン。
【請求項４】
前記折込板が、前記駆動手段の可動部に連結されるとともに、
前記支持部材が、回動支点を中心に、前記駆動手段を揺動可能に支持し、
且つ、前記付勢部材の一端側が前記駆動手段に連結され、他端側が大押さえに連結され、前記各折込板の先端部が下方側に向けて付勢されていることを特徴とする請求項１から請求項３の何れか一項記載の玉縁縫いミシン。
【発明の詳細な説明】
【技術分野】
【０００１】
本発明は、玉縁縫いを行うための玉縁縫いミシンに関する。
【背景技術】
【０００２】
玉縁縫いミシンは、例えば、衣服の身頃生地に玉縁布を縫着すると共に身頃生地と玉縁布に所定の切目を形成して、ポケットを形成するのに好適なミシンである（例えば、特許文献１参照。）。
即ち、当該玉縁縫いミシンにおける縫製では、針板上面において、身頃生地とその上に玉縁布とを重ねて配置し、その上から底板部とその上面に垂直に立設された立板部とからなる断面逆さＴ字状であるバインダーを載置する。さらに、玉縁布の両端部をそれぞれバインダーの底板部の上面から立板部の各平面に沿わせるように折り返した状態で保持し、送り機構で所定方向に各布地を送りつつ、バインダーの立板部の両側で二本針により縫製を行う。そして、縫い針の上下動に同期してセンターメスを上下動させて直線状のセンター切目を形成した後、Ｖ字状に配置されたコーナーメスの上下動により当該センター切目の両端部側に連続するように二又に枝分かれする略Ｖ字状のコーナー切目を形成して縫製を行い、ポケットを形成するようになっている。
【特許文献１】特公平１−３８５１７号公報
【発明の開示】
【発明が解決しようとする課題】
【０００３】
しかしながら、上記特許文献１に開示されるような従来の玉縁縫いミシンに装備される玉縁布折込装置においては、図９に示すように、バインダー２０１の底板部２０１ａの上面に沿わせて玉縁布を折り込む折込板２０２を水平に向け且つ水平に移動させる構造のため、設置高さ及び動作方向が一定となり、玉縁布の厚さが想定した厚さ以上の場合、図１０に示すように生地の厚み及び剛性により、折込板２０２が途中で停止してしまい、折り込み動作が中断する場合があるという問題があった。
また、かかる問題に対処するために、折込板２０２を内蔵する大押さえ装置２００の下面に貼付するゴム２０３を厚い玉縁布（以下、厚布という）に対応する厚さのものに貼り替え、折込板２０２が動作する際に当該折込板２０２の下面が底板部２０１ａの上面に沿って折り込まれる厚布の上面よりも高い位置を移動するようにして厚い玉縁布を折り込む方法が取られているが、実際の玉縁縫いにおいては、玉縁布の布厚は縫製ロットごとに頻繁に変化することが多く、厚い玉縁布を折り込むためのゴム２０３を貼付した状態で薄い玉縁布を折り込んだ場合には、図１１に示すように折込板２０２と玉縁布との間に余分な隙間ができてしまい、生地が弛むことにより、折り込み量が不安定になるという問題が生じていた。
そのため、玉縁布の布厚の変化への対応と折り込み量の安定化を図るためには布厚に対して適切な厚さのゴム２０３を選択して貼り替える必要があり、コストがかかると共に交換作業により装置の稼働率が低下するという問題があった。
【０００４】
そこで、本発明は、布厚の変化によらず、玉縁布の円滑な折り込み動作を行うことができる玉縁縫いミシンを提供することをその目的とする。
【課題を解決するための手段】
【０００５】
上記課題を解決するため、請求項１記載の発明は、底板部と当該底板部に垂直に立設された立板部とを有し、前記底板部及び立板部に身生地の上に載置された玉縁布を沿わせて縫い針の針落ち位置に案内するバインダーと、前記バインダーの立板部を挟んだ両側であって前記底板部上方に配置される一対の折込板を有し、当該各折込板が駆動手段により前記立板部に向かって接近移動し、前記各折込板の先端部が、当該底板部の左右両端から延出する玉縁布の両端部を前記底板部の上面側に折り返して玉縁布を折り込む折込装置とを備えた玉縁縫いミシンにおいて、前記折込装置は、前記各折込板の先端部が上下動可能となるように当該各折込板を個別に支持する一対の支持部材と、前記各折込板の先端部を常時下方側に付勢する付勢部材とを備えていることを特徴とする玉縁縫いミシンである。
【０００６】
請求項２記載の発明は、請求項１に記載の玉縁縫いミシンにおいて、前記折込装置は、前記一対の折込板が前記駆動手段により接近移動して前記玉縁布を折り込む際にそれぞれの折込板の先端部が前記底板部の左右両端の外側では、前記玉縁布が前記底板部を上下から挟むように折り返された場合の合計厚さ以上の高さに位置するように、前記折込板の高さを維持する段部を備えることを特徴とする。
【０００７】
請求項３記載の発明は、請求項１又は請求項２記載の玉縁縫いミシンにおいて、前記折込装置は、前記一対の折込板が前記駆動手段により接近移動して前記玉縁布を折り込む際に前記先端部が前記底板部の上面に向かって斜め下方に接近移動するように構成されていることを特徴とする。
【０００８】
請求項４記載の発明は、請求項１から請求項３の何れか一項記載の玉縁縫いミシンにおいて、前記折込板が、前記駆動手段の可動部に連結されるとともに、前記支持部材が、回動支点を中心に、前記駆動手段を揺動可能に支持し、且つ、前記付勢部材の一端側が前記駆動手段に連結され、他端側が大押さえに連結され、前記各折込板の先端部が下方側に向けて付勢されていることを特徴とする。
【発明の効果】
【０００９】
請求項１に記載の発明によれば、立板部を挟んで両側に配置された各折込板は、支持部材により当該各折込板の先端部が上下動可能な状態で支持されると共に、付勢部材により各折込板の先端部が常時下方側に付勢された状態となる。これにより、厚い玉縁布を折り込む場合には、折込板の先端部が布厚に応じて玉縁布の上面を摺動しながら前進して折り込み動作が実行され、また、薄い玉縁布を折り込む場合であっても下方側に付勢された折込板の先端部が玉縁布の上面に当接されて摺動して折込動作が実行される。従って、折り込む玉縁布の布厚に左右されることなく円滑な折り込み動作を実現することができる。また、折込板の先端部が下方側に付勢されていることによりバインダーの上面に沿って玉縁布を引き伸ばしながら折り込むことができ、折り込む玉縁布に弛み等を生じることなく折り込み量の安定化を図ることができる。また、布厚が変わるごとに部品交換を行う必要がなく、コストの低減及び当該玉縁縫いミシンの稼働率の向上を図ることができる。
【００１０】
請求項２記載の発明によれば、請求項１記載の発明と同様の効果を得ることができる他、特に、折込装置に段部を設けたことで、玉縁布が底板部を上下から挟むように折り返された場合の合計厚さよりも折込板の先端部が上方に位置するように維持された状態で、当該折込板の先端部が底板部の端縁上方に重なる位置の手前まで案内される。したがって、折込板の動作中において当該折込板の先端部が玉縁布に当接した際、玉縁布により進行方向への移動が停止されることがなく、厚い玉縁布に対しても円滑な折り込み動作を実現することができる。なお、段部により維持される高さは、玉縁布が底板部を上下から挟むように折り返された場合の合計厚さとするが、その場合の玉縁布は縫製に一般に使用される範囲で最も厚地のものを想定することが望ましい。
【００１１】
請求項３記載の発明によれば、請求項１又は請求項２記載の発明と同様の効果を得ることができる他、特に、折込板の先端部は底板部の上面に向かって斜め上方から下降し、折り返された玉縁布の上面に対して斜め上方から当接される。従って、折り返された玉縁布の上面には折込板の下面全体が平面的に当接されることがなく、その先端部のみが直線的に当接される。これにより、折り返された玉縁布の上面を立板部側に引き伸ばすように導くことができるため、弛みを生じることなくバインダーの上面に沿って玉縁布を折り返すことができる。その結果、効率的に折り込み量の安定化を図ることができる。また、折込板は斜め下方に接近移動するので、先端部の移動による高さ変化に応じた範囲の布厚に対応することができる。
【００１２】
請求項４記載の発明によれば、請求項１から請求項３の何れか一項記載の発明と同様の効果を得ることができる他、特に、折込板は、当該折込板の基端側を中心に回動されるため、簡易な構造で折込板の先端部を上下動可能とすることができる。
【発明を実施するための最良の形態】
【００１３】
（発明の実施形態の全体構成）
以下、本発明の実施の形態である玉縁縫いミシン１０について、図１〜図７に基づいて説明する。
図１は、玉縁縫いミシン１０の全体の概略構成を示す斜視図である。なお、本実施の形態においては、各図中に示したＸＹＺ軸を基準にしてそれぞれの方向を定めるものとし、Ｚ軸方向は後述するセンターメス５１の上下動方向と一致し、縫製作業を行う作業平面はＺ軸方向と垂直となり、当該作業平面に平行であって布送りが行われる方向をＸ軸方向とし、作業平面に平行であってＸ軸方向に直交する方向をＹ軸方向とする。
【００１４】
玉縁縫いミシン１０は、身頃生地Ｍに対して玉縁布Ｎ（図３参照）を縫着すると共にこれらの布地の送り方向に沿った直線状のセンター切目と当該センター切目の両端部に略Ｖ字状のコーナー切目とを形成するミシンである。
そして、当該玉縁縫いミシン１０は、縫製の作業台となるミシンテーブル１１と、ミシンテーブル１１に配置されたミシンフレーム１２と、身頃生地Ｍ及び玉縁布Ｎからなる布地の送りを行う布送り機構としての大押さえ送り機構２０と、身頃生地Ｍの上側で玉縁布Ｎを上方から当てるバインダー３０と、バインダー３０の布送り方向Ｆにおける下流側近傍であって当該バインダー３０の立板部（後述する）３２の両側で針落ちを行う針上下動機構と、ミシンフレーム１２に支持され、各縫い針４１の布送り方向Ｆの下流側の各縫い針４１の中間にセンターメス５１を昇降させて各布地Ｂ，Ｍにセンター切目を形成するセンターメス機構としての動メス機構と、コーナーメス９１を昇降させてセンター切目の両端となる位置に略Ｖ字状のコーナー切目を形成するコーナーメス機構とを備えている。
以下各部を説明する。
【００１５】
（ミシンテーブル及びミシンフレーム）
ミシンテーブル１１は、その上面がＸ−Ｙ平面に平行に配置され、水平な状態で使用される。このミシンテーブル１１の上面は、布の送り方向Ｆ即ちＸ軸方向に沿って長い長方形状に形成されている。かかるミシンテーブル１１上には後述する大押さえ送り機構２０とバインダー３０とが配置されており、ミシンテーブル１１の下側にはコーナーメス機構が配置されている。
また、ミシンテーブル１１には針板１３が設けられており、該針板１３に形成された二つの針穴には後述するアーム部１２ｃの先端に設けられた二本針４１，４１がそれぞれ針落ちを行うようになっている。各針穴の下側には図示しない水平釜がそれぞれ設けられており、各縫い針４１，４１に挿通された縫い糸が針板１３の下側で対応する水平釜にそれぞれ捕捉され、各水平釜から繰り出される下糸に絡げられて縫製が行われるようになっている。また、針板１３の二つの針穴のほぼ中間であって布送り方向Ｆの下流側には、センターメス５１が挿入されるスリットが形成されると共にセンターメス５１との協働により布地を切断する図示しない固定メスが配置されている。
【００１６】
ミシンフレーム１２は、ミシンテーブル１１の長手方向中間位置のすぐ脇に配置されたベッド部１２ａと、ベッド部１２ａから立設された縦胴部１２ｂと、縦胴部１２ｂの上端部からＹ軸方向に沿って延設されたアーム部１２ｃとからなり、アーム部１２ｃ内には後述する針上下動機構と動メス機構の主要構成が格納されている。また、アーム部１２ｃの先端側下端部には二本針４１，４１とセンターメス５１とが垂下支持されている。
【００１７】
（針上下動機構）
針上下動機構は、二本針を構成する二本の縫い針４１，４１と、各縫い針４１，４１を下端部に保持する二本の針棒４２，４２とを備えている。また、針上下動機構は、本実施形態では図示しないが、各針棒４２，４２をその長手方向に沿って滑動可能に支持する支持枠、二本の針棒４２を同時に保持する針棒抱き、縫い針上下動の駆動源となるミシン主軸モータ、ミシン主軸モータにより回転駆動を行うミシン主軸、ミシン主軸の一端部に固定連結され回転運動を行う回転錘、回転錘の回転中心から偏心した位置に一端部が連結されると共に他端部が針棒抱きに連結されたクランクロッド、及び、支持枠に一端部が連結されると共に図示しない回動駆動源により回動駆動力が付与される回動軸を備えている。
そして、ミシン主軸モータの駆動によりミシン主軸に全回転の回転駆動力が付与されると、回転錘及びクランクロッドを介して各針棒４２，４２にほぼＺ軸方向に沿う移動成分が伝達され、各縫い針４１，４１が往復上下動を行う。また、各針棒４２，４２の下端部に位置する縫い針４１，４１は、回動軸から所定の角度範囲で回動力が付与されると縫製方向と平行に移動され、布送り方向Ｆと逆方向に短いストロークで縫いを行ういわゆるバックタック縫いが可能な構成となっている。
【００１８】
（動メス機構）
動メス機構は、センター切目を形成するセンターメス５１、該センターメス５１を下端部に備えると共にアーム部１２ｃ内でＺ軸方向に沿って滑動可能に支持された図示しないメス棒、センターメス５１の上下動の駆動源となるステッピングモータであるメスモータ（図示略）、及びセンターメス５１の切断可能状態と切断規制状態との切り替え動作の駆動源となるエアシリンダ（図示略）等を備えている。
そして、動メス機構は、エアシリンダの前進位置と後退位置とを切り替えることで、メスモータの回転駆動力をセンターメスに伝達しない切断規制状態と、メスモータの回転駆動力をセンターメス５１の上下の往復動作に変換して伝達する切断可能状態との切り替えを行い、所望の長さのセンター切目を形成するようになっている。
【００１９】
（コーナーメス機構）
コーナーメス機構は、図１に示すように、ミシンテーブル１１の下方であって大押さえ送り機構２０による大押さえ２１，２１の通過経路に配置されており、大押さえ送り機構２０により搬送されてきた玉縁布Ｎ及び身頃生地Ｍに下方からコーナーメス９１を差し込むことでセンター切目の両端となる位置に略Ｖ字状のコーナー切目を形成する。
かかるコーナーメス機構は、布送り方向Ｆに沿って間隔をあけて配置された二つのコーナーメス９１、９１と、各コーナーメス９１をその先端部側から被覆するカバー部材（図示略）と、各コーナーメス９１及びカバー部材を所定の動力伝達機構を介してそれぞれ上下動させる上下動用モータ（図示略）とを備えている。
【００２０】
（バインダー）
次に、バインダー３０について説明する。
バインダー３０は、図１に示すように、縫い針４１，４１の手前に配置され、長尺状平板である底板部３１と、底板部３１の長手方向に沿ってその上面に垂直に立設された立板部３２とを備えている。
このバインダー３０は、エアシリンダを備える図示しない支持機構に支持されており、非使用時には図１に示すように二本針４１，４１の針下の位置から離れて待避されている。そして、使用時には、エアシリンダの駆動により下降して針板位置にセットされるようになっている。
底板部３１は、長方形状に形成され、使用時において、その長手方向がＸ軸方向に平行になるように且つ、その底面がミシンテーブル１１の上面に正対して載置されるように支持されている。
立板部３２は、その全体が長方形状の平板であり、底板部３１の上面において、当該底板部３１の幅方向（Ｙ軸方向）の中間位置に、底板部３１と長手方向を揃えた状態で、垂直に立設されている。即ち、バインダー３０は、底板部３１と立板部３２とがその長手方向から見て逆さＴ字状となるように一体形成されている。
【００２１】
ここで、バインダー３０は、針板１３上において大押さえ２１，２１に押さえられた身頃生地Ｍの上側に玉縁布Ｎが重ねてセットされると、当該玉縁布Ｎの上方から載置され、底板分３１の左右両端から延出する玉縁布Ｎの幅方向（図１におけるＹ軸方向）の両端部を折り返して底板部３１の幅方向両端部から上方に立ち上げ、さらに、玉縁布Ｎの幅方向両端部をそれぞれ立板部３２の両側の側面にそれぞれ沿わせるようにして、後述する折込板６１，６１により保持される（図３参照）。即ち、立板部３２の一方の側面から底板部３１を介して他方の側面まで玉縁布Ｎを沿わせた状態とする。このように、バインダー３０に玉縁布Ｎを巻き付けるようにセットした状態で、玉縁布Ｎ及び身頃生地Ｍを送りつつ、立板部３２の両側で二本針４１，４１により縫製が行われる。このとき、センターメス５１の上下動によりセンター切目が形成されるようになっている。
【００２２】
（大押さえ送り機構）
次に、大押さえ送り機構２０について説明する。
大押さえ送り機構２０は、図１、図２に示すように、バインダー３０にセットされた玉縁布Ｎと身頃生地Ｍとを搬送する左右一対の大押さえ２１，２１と、これらの大押さえ２１，２１を支持する支持体２２と、支持体２２を介して大押さえ２１，２１を上下に移動させる図示しないエアシリンダと、大押さえ２１，２１により押さえた玉縁布Ｎ及び身頃生地Ｍを支持体２２を介して布送り方向Ｆに移動させる図示しない押さえモータと、玉縁布Ｎを、バインダー３０の底板部３１の上面側に折り返す折込装置６０とを備えている。
【００２３】
各大押さえ２１，２１は、上方からみて長方形状であり、各々が長手方向をＸ軸方向に沿わせた状態で支持体２２に支持されている。また、各大押さえ２１，２１はその下面がＸ−Ｙ平面に平行となるように支持されており、その上面は互いの対向する縁部側が低く形成され、Ｘ軸方向から見て楔型を呈する形状となっている（図２乃至図７参照）。そして、各大押さえ２１，２１の上面には後述する折込装置６０の折込板６１がそれぞれ載置され、且つ、各大押さえ２１，２１の傾斜した上面に沿ってバインダー３０側に向かって各折込板６１，６１が滑動するようになっている。
また大押さえ２１は、エアシリンダの駆動により上下の二位置に切替可能であり、上位置の時にはミシンテーブル１１の上面から離間し、下位置でミシンテーブル１１の上面高さとなる。また、各大押さえ２１，２１は、互いの間に、少なくともバインダー３０の立板部３２を通すことができるように離間した状態で支持されている。
【００２４】
支持体２２は、図示しないボールネジ機構を介して図示しない押さえモータによって駆動され、ミシンテーブル１１上においてＸ軸方向に沿って移動可能に支持されている。かかる支持体２２には、先端が二股に形成された大押さえ腕２３を介して各大押さえ２１，２１が連結されており、これら大押さえ２１，２１が二本針４１，４１の上下動経路の両側を通過するように配置されている。
【００２５】
ここで、本実施形態たる玉縁縫いミシン１０に搭載される折込装置６０について詳しく説明する。
折込装置６０は、バインダー３０の立板部３２を挟んだ左右両側であって底板部３１の上方に配置される一対の折込板６１，６１と、各折込板６１，６１を立板部３２に対して離接移動することで玉縁布Ｎを底板部３１の上面に沿って折り込むための駆動手段である折込シリンダ６２，６２と、該折込シリンダ６２，６２を介して各折込板６１，６１をその先端部が上下に揺動可能となるように支持する一対の支持部材６３，６３と、各折込板６１，６１の先端部を下方に押圧する付勢部材であるコイルばね６４，６４とを備えている。
【００２６】
折込板６１は、略長方形状の板状部材であって、その長手方向がＸ軸方向に沿って配置され、待機状態において大押さえ２１，２１の上面に正対して載置されるようになっている(図２、図３参照)。各折込板６１，６１は、その長手方向の中間で連結部材を介してそれぞれ折込シリンダ６２，６２の可動部Ｐに連結されている。
【００２７】
各折込シリンダ６２，６２は、それぞれ単動式のエアシリンダであり、図２に示すように、互いの可動部Ｐがバインダー３０側であって、先端が下方に向けられて配置されている。この折込シリンダ６２は、可動部Ｐが駆動自在の状態で支持部材６３に固定支持されている。また、折込シリンダ６２は、その進退方向が折込板６１の幅方向（長手方向に直交する方向）に平行となるように折込板６１を保持している。
【００２８】
支持部材６３は、その上部において略Ｙ軸方向に沿って折込シリンダ６２を保持するとともに、その下部に設けられた回動支点６３ａにおいてＸ軸方向に沿う軸を中心に回動自在となって大押さえ腕２３に連結されている。
つまり、支持部材６３は、回動支点６３ａを中心にして上記折込シリンダ６２を図２に示す矢印Ａ又はＢの方向に揺動可能に支持することで、該折込シリンダ６２の可動部Ｐに連結された折込板６１の先端部を図２に示す矢印Ａ又はＢの方向に上下動可能に支持する機能を備えている。
【００２９】
さらに、本実施形態における折込装置６０にはコイルばね６４が設けられている。
コイルばね６４は、その一端が折込シリンダ６２の長手方向のほぼ中央に連結されており、該コイルばね６４の他端は上述した大押さえ２１の上端部に連結されている（図２参照）。
このコイルばね６４は引っ張りばねであり、折込シリンダ６２の可動部Ｐとは逆側の端部を常時上方側すなわち図２における矢印Ａ方向に付勢するようになっている。つまり、当該コイルばね６４によって上記支持部材６３と一体的に固定された折込シリンダ６２に対してかかる付勢力を作用させることで、折込シリンダ６２は支持部材６３の回動支点６３ａを中心に図２における反時計周り方向即ち矢印Ａ方向に付勢され、これに伴い、折込シリンダ６２の可動部Ｐの先端に連結された折込板６１は、その先端が常時下方側即ち図２における矢印Ａ方向に付勢される。
このように、折込装置６０は、各折込板６１，６１が折込エアシリンダ６２により駆動されて底板部３１の上面に向かって斜め下方に接近移動すると共に立板部３２に接近移動し、各折込板６１，６１の先端部が底板部３１の下面の左右両側から延出する玉縁布Ｎの両端部に当接することで該玉縁布Ｎを底板部３１の上面側に折り返して折り込むようになっている。
【００３０】
そして、本実施形態における大押さえ２１，２１の下面には、玉縁布Ｎが底板部３１を上下から挟むように折り返された場合の合計厚さｄ以上の高さに位置するように、底板部３１の左右両端外側に対する折込板６１の高さを維持する段部としてのゴム板２４が貼り付けられている。
ゴム板２４は、張替え可能となって大押さえ２１，２１の長手方向に沿ってその下面に貼り付けられている。
本実施形態では、折込板６１の先端部が玉縁布Ｎに当接される際の初期高さすなわちゴム板２４（段部）により維持される高さＧは、玉縁布Ｎが底板部３１を上下から挟むように折り返された場合の合計厚さｄと比較して同等以上、つまり、Ｇ≧ｄ（図５参照）となっている。例えば、厚布を折り返した場合の合計厚さｄが３．２ｍｍ程度となる場合の布厚に対応する高さとなっている。
また、上記各大押さえ２１，２１の上面の傾斜は、当該大押さえ２１，２１の上面に滑動可能に載置される後述する折込板６１，６１が薄い玉縁布Ｎを折込む際に、その先端の移動方向の延長（図３に示す破線Ｓ）が、バインダー３０の底板部３１と立板部３２との境界よりも底板部３１側となるように形成されている。なお、符号２５，２５は、フラップを載置するためのフラップベースであり、図３，図５及び図７においては、図を簡略化するために図示を省略している。
【００３１】
（玉縁縫いミシンの縫製動作）
次に、玉縁縫いミシン１０における玉縁布の折込動作について、図３から図７を参照して詳しく説明する。
なお、玉縁布Ｎの折込動作に先立ち、ミシンテーブル１１上に載置された身頃生地Ｍの上には大押さえ２１がセットされ、次いで大押さえ２１，２１の間から身頃生地Ｍの上に玉縁布Ｎがセットされ、玉縁布Ｎの上からバインダー３０がセットされる（図３参照）。これにより、玉縁布Ｎの両端部は、ゴム板２４とバインダー３０の底板部３１の端部との間で上方に折り曲げられる。また、この段階で折込シリンダ６２はＯＦＦの状態であり、折込板６１は、各大押さえ２１，２１の左右両側すなわち各大押さえ２１，２１の斜面の高い位置側に配置され、且つ、その下面全体が大押さえ２１，２１の上面に正対して面接触され、該折込板６１の先端側が下方側に付勢された状態である。
【００３２】
まず、薄い玉縁布Ｎを折り込む場合の折込動作について説明する。
各折込シリンダ６２，６２をＯＮにすると折込動作が開始され、該折込シリンダ６２の可動部Ｐが前方（駆動時における折込シリンダ６２の移動方向をいう）に移動する。これに伴い、当該折込シリンダ６２の可動部Ｐに連結された各折込板６１，６１は、大押さえ２１，２１の上面を斜め下方に下降し、立板部３２に向かって各大押さえ２１，２１の上面を滑るように接近移動する（図４参照）。
各折込板６１，６１は、それぞれの先端部が各大押さえ２１，２１の端縁を通過する際玉縁布Ｎに当接され、バインダー３０の底板部３１の左右両端から延出された玉縁布Ｎの左右両端を底板部３１の上面側に折り返して案内する。
本実施形態における玉縁縫いミシン１０では、上述したように、ゴム板２４の厚さ(高さ)が一般に玉縁縫いで使用される玉縁布の中でも十分に厚い玉縁布を折り返した際の厚さを想定しているため、薄い玉縁布Ｎを折り込む場合は、折込板６１の先端に押されて折り返された玉縁布Ｎが底板部３１の上面に密着するまでは折込シリンダ６２による当初の移動方向すなわち大押さえ２１の上面を下降する方向に移動される（図５参照）。そして、折込板６１の先端部が折り返した薄い玉布の上面に到達すると、折込板６１は当該折込板６１に常時作用する下方への付勢力によりその先端部が玉縁布Ｎを底板部３１側に押圧しながら玉縁布Ｎの上面を摺動して立板部３２まで前進する。つまり、折込板６１は、折込シリンダ６２を介してコイルばね６４により常時下方側に付勢されているため、該折込板６１の先端部は、底板部３１に沿って折り返された玉縁布Ｎの上面を下方に付勢しながら引き伸ばすように移動して立板部３２の基端部まで玉縁布Ｎを導く。従って、玉縁布Ｎは底板部３１に沿って弛みを生ずることなく好適に折り込まれる。
【００３３】
次に、厚い玉縁布Ｎを折り込む際の折込動作について説明する。
まず、折込シリンダ６２の駆動により折込板６１が立板部３２に接近移動する動作については上述した薄い玉縁布Ｎを折り込む場合と同様である。
そして、本実施形態における玉縁縫いミシン１０の折込装置６０では、上述したように、厚い玉縁布Ｎ（以下、厚布Ｎとする）を折り込む際にも対応するようにゴム板２４の厚さが十分厚く確保されているため、折込板６１が厚布Ｎに当接される際には折込板６１の先端部が当該折り返された厚布Ｎの上面に対して斜め上方から当接される（図６、図７参照）。
さらに、厚布Ｎを折り込んでいくにつれて、折込板６１はその先端部が厚布Ｎの上面に沿って移動するように案内される。すなわち、折込板６１は、厚布Ｎを折り込む際には折込シリンダ６２の駆動に伴い、先端部で厚布Ｎを下方に押圧しながら折込動作を継続する。
つまり、本実施形態たる玉縁縫いミシン１０では、折込シリンダ６２が支持部材６３の回動支点６３ａを中心に揺動自在に支持されていることによって折込板６１が上下動可能となっており、布厚が厚い玉縁布Ｎを折り込む場合であっても、布厚に応じて先端部が玉縁布Ｎの上面を自在に摺動して前進し、底板部３１の上面に布を確実に折り込むことができる。従って、薄布のみならず厚布を折り込む場合であっても中断されることなく折込動作が実行される。
そして、折込板６１は、縫製すなわち針落ちの開始に先立って玉縁布Ｎを好適に折込んで保持した後は、縫い始めから縫い終わりまで前進位置（押え位置）に維持され、玉縁布を折込んだ状態で保持し続ける。
【００３４】
（実施形態の効果）
以上のように、本実施形態たる玉縁縫いミシン１０によれば、布厚の違いによって折込動作が停止することがなく、折り込む玉縁布Ｎの布厚に左右されることなく円滑な折り込み動作を実現することができる。また、折込板６１の先端部が下方側に付勢されていることによりバインダー３０（特に、底板部３１）の上面に沿って玉縁布Ｎを引き伸ばしながら折り込むことができ、折り込む玉縁布Ｎに弛み等を生じることなく折り込み量の安定化を図ることができる。また、布厚が変わるごとに部品交換を行う必要がなく、コストの低減及び当該玉縁縫いミシン１０の稼働率の向上を図ることができる。
また、折込板６１の動作中において当該折込板６１の先端部が玉縁布Ｎに当接した際、玉縁布Ｎにより進行方向への移動が停止されることがなく、厚い玉縁布Ｎに対しても円滑な折り込み動作を実現することができる。
また、折込板６１は斜め下方に接近移動するので、先端部の移動による高さ変化に応じた範囲の布厚に対応することができる。また、折込板６１は当該折込板６１の基端側を中心に回動されるため、簡易な構造で折込板６１の先端部を上下動可能とすることができる。
【００３５】
（その他）
なお、本実施形態において折込板６１は、折込シリンダ６２及び支持部材６３を介して支持されることでその基端側を中心に先端部が揺動可能な構成としたが、例えば、コイルバネ等のバネ部材やゴム等の弾性体を介して折込板６１を、上下に平行移動可能に支持することで先端部が上下に移動可能な構成としても良い。
さらに、折込板６１は、その先端部を上方に反り返る形状とするか、先端側の下部に丸みを付けることで、厚い玉縁布を折り込む際には上方に回避する構成としてもよい（図８（ａ）及び（ｂ）参照）。
また、折込板６１を駆動する折込シリンダ６２は、単動式のみならず復動式シリンダであってもよい。
また、ゴム板２４（段部）により維持される高さＧは、玉縁布Ｎが底板部３１を上下から挟むように折り返された場合の合計厚さｄと比較して同等以上（Ｇ≧ｄ）とするが、その場合の玉縁布Ｎは縫製に一般に使用される範囲で最も厚地のものを想定することが望ましい。
【図面の簡単な説明】
【００３６】
【図１】本発明が適用された玉縁縫いミシンの全体の概略構成を示す斜視図である。
【図２】図１におけるＤ−Ｄ方向矢視であって折込動作前の状態を示す正面図である。
【図３】図２の要部拡大図である。
【図４】本実施形態たる玉縁縫いミシンによる薄布の折込動作を示す正面図である。
【図５】図４の要部拡大図である。
【図６】本実施形態たる玉縁縫いミシンによる厚布の折込動作を示す正面図である。
【図７】図６の要部拡大図である。
【図８】本実施形態として適用可能な折込板の先端部形状を示す説明図である。
【図９】従来の玉縁縫いミシンによる折込動作を示す説明図である。
【図１０】従来の玉縁縫いミシンによる折込動作を示す説明図である。
【図１１】従来の玉縁縫いミシンによる折込動作を示す説明図である。
【符号の説明】
【００３７】
１０    玉縁縫いミシン
１１    ミシンテーブル
２０    大押さえ送り機構（布送り機構）
２１    大押さえ
２２    支持体
２３    大押さえ腕
２４    ゴム板
２５    フラップベース
３０    バインダー
３１    底板部
３２    立板部
４１    縫い針
４２    針棒
５１    センターメス
５１ｂ  切刃部
６０    折込装置
６１    折込板
６２    折込シリンダ（駆動手段）
６３    支持部材
６３ａ  回動支点
６４    コイルばね(付勢部材)
９１    コーナーメス
Ｎ      玉縁布
Ｍ      身頃生地
Ｆ      布送り方向
Ｐ      可動部
【図１】
0004769505.tif 000002
【図２】
0004769505.tif 000003
【図３】
0004769505.tif 000004
【図４】
0004769505.tif 000005
【図５】
0004769505.tif 000006
【図６】
0004769505.tif 000007
【図７】
0004769505.tif 000008
【図８】
0004769505.tif 000009
【図９】
0004769505.tif 000010
【図１０】
0004769505.tif 000011
【図１１】
0004769505.tif 000012